(57)【特許請求の範囲】
【請求項１】
観賞魚を飼育しうる飼育用水槽と、上記飼育用水槽内に着脱可能に配置固定され、複数の親魚を自由に遊泳可能な状態で収納できると共に上記飼育用水槽内に装着された場合には、上記飼育用水槽内において上記飼育用水槽の底部との間に稚魚生育部を形成しうる産卵用水槽とを備えていることを特徴とする水槽。
【請求項２】
稚魚生育部内の水を吸入して濾過しうる水循環装置を備えたことを特徴とする請求項１記載の水槽。 
【請求項３】
上記飼育用水槽は上部に開口部が形成された裁頭逆四角錐台形状に形成されると共に上記産卵用水槽も上部に開口部が形成された裁頭逆四角錐台形状に形成され、産卵用水槽の四方側面部は上記飼育用水槽を形成する四方内側面部に当接した状態で収納固定され、産卵用水槽には、略波板状に形成され、谷部には幅方向に沿って親魚は通過できない幅寸法のスリットが形成された底部が設けられていることを特徴とする請求項１記載の水槽。
【請求項４】
上記産卵用水槽の四方側面部の縦方向及び横方向の外径寸法は飼育用水槽の四方側面部の内径寸法と同一に形成されていると共に、産卵用水槽の深さ寸法は飼育用水槽の深さ寸法よりも小さく形成されており、上記飼育用水槽の前面板部及び背面板部は逆等脚台形に形成されると共に上記産卵用水槽の前面板部及び背面板部は上記前面板部及び背面板部と同一の底角を有する逆等脚台形に形成されていることを特徴とする請求項３記載の水槽。
【請求項５】
上記水循環装置は、上記底部を貫通して配置される管部と、上記管部の下端部に設けられ、上記稚魚生育部内に開孔してストレーナを有する吸水口部と、上記管部の上端部に設けられ吸入した水を濾過して飼育用水槽内に還元しうる濾過部とが設けられていることを特徴とする請求項２記載の水槽。
【発明の詳細な説明】
【技術分野】
【０００１】
本発明は、水槽の改良に関し、特に、観賞魚を良好な環境で繁殖させうる水槽に関する。
【背景技術】
【０００２】
従来より、グッピー等の卵胎生魚を始めとする観賞魚の繁殖にあたっては、図４及び図５に示すように、観賞魚を飼育している水槽５４内に小型の産卵箱４１を設置し、産卵期が近くなった親魚１４を産卵箱４１内に収容し、産み落とされた卵１５や産まれたばかりの稚魚（卵胎生魚）１６を保護するようにしている。
【０００３】
即ち、図４及び図５に示すように、このような従来の産卵箱４１にあっては、内部に、谷部に幅方向に沿ってスリット３６が形成された横断面略Ｖ字形状の底部３２が設けられ、底部３２により産卵箱４１は上下の部屋５２、５３に分割され、上部の部屋５２内には親魚１４が収納されていると共に、下部の部屋５３には親魚１４が産み落とした卵１５及び稚魚１６が収納されるように構成されている。
【０００４】
上記スリット３６は、卵１５及び稚魚１６のみが通過しうる幅寸法に形成されており、親魚１４は通過することはできない。従って、上部の部屋５２内の親魚１４が、卵１５又は稚魚１６を産み落とした場合には、卵１５や稚魚１６はスリット３６を介して下部の部屋５３へ落下し、卵１５や稚魚１６が親魚１４に捕食されないように、稚魚１６は下部の部屋５３内において親魚１４とは隔離されて飼育されるように構成されている。
【０００５】
このような従来の小型の産卵箱４１を利用した飼育方法にあっては、水槽５４内において飼育している親魚１４を産卵期に近づいたタイミングを見計らって産卵箱４１へ移し替えて産卵環境を確保するようにしている。
【０００６】
しかしながら、一般的に、親魚１４が産卵期に入っているか否か、に関する正確な判断は、熟練した飼育者でなければ困難であり、親魚１４を産卵箱４１に移す時機を逃してしまった場合には、親魚１４が産卵箱４１内ではなく水槽５４内に産卵してしまい卵１５や稚魚１６が親魚１４や他の魚５５に捕食されてしまう可能性がある。
また、移し替えにより、親魚１４にストレスを与える可能性もあり、若しくは親魚１４自体を傷付ける可能性もある。 
【０００７】
また、親魚１４を産卵箱４１に無事に移せた場合であっても、産卵箱４１は小さいため、親魚１４の遊泳スペースが限られてしまい、それが親魚１４のストレスとなり、親魚１４自体、さらには、親魚１４の魚体内卵や稚魚の健康にまで悪影響を与える可能性がある。また、産卵箱４１は小さいため、複数の親魚１４を収納することも困難な場合があった。
【０００８】
さらに、産卵箱４１の、例えば、側面部には複数の通水孔５１が設けられているが、通水孔５１は、稚魚１６の通り抜けを防ぐために細幅に形成されていることから、産卵箱４１と水槽５４内部との間における水の循環が十分に行われない場合がある。その結果、親魚１４や稚魚１６の食べ残した餌や排泄物が産卵箱４１の底部に沈滞し、水槽５４全体の水質悪化を招く場合もあった。
【０００９】
またさらに、底部３２の谷部に形成されたスリット３６は稚魚１６が通過できる大きさに形成されているため、下部の部屋５３内の、成長して遊泳可能になった稚魚１６がスリット３６を介して上部の部屋５２に移動することにより親魚１４に捕食される可能性もあった。
【００１０】
このような従来の問題点に鑑み、本件特許出願人は出願前調査を行い関連する特許出願情報を検索し、関連する下記特許文献１を抽出した。当該特許文献１においては、水槽内に設置する小型の産卵箱が開示されており、上記と同様の問題点を有していることが判明している。
【特許文献１】実用新案登録第３００４３０１号
【発明の開示】
【発明が解決しようとする課題】
【００１１】
本願発明は、このような従来の要請に基づくものであってその課題は、産卵箱へ親魚の移送をする必要がなく、親魚及び魚体内卵の健康を確保し、親魚から生まれた卵や稚魚が親魚等に捕食されることなく確実に保護することができる水槽を提供することにある。
【課題を解決するための手段】
【００１２】
上記課題を解決するために、請求項１に記載の発明にあっては、観賞魚を飼育しうる飼育用水槽と、上記飼育用水槽内上部に着脱可能に配置固定され、複数の親魚を自由に遊泳可能な状態で収納できると共に上記飼育用水槽内に装着された場合には、上記飼育用水槽内において上記飼育用水槽の底部との間に稚魚生育部を形成しうる産卵用水槽とを備えていることを特徴とする。
【００１３】
従って、請求項１記載の発明にあっては、観賞魚を飼育するために使用される飼育用水槽内に親魚を収納できる産卵用水槽が着脱可能に配置され、飼育用水槽内において産卵用水槽と飼育用水槽の底部との間に稚魚生育部が形成される。
【００１４】
請求項２記載の発明にあっては、稚魚生育部内の水を吸入して濾過しうる水循環装置を備えたことを特徴とする。 
従って、飼育用水槽及び産卵用水槽内の水を濾過して循環させることができる。
【００１５】
請求項３記載の発明にあっては、上記飼育用水槽は上部に開口部が形成された裁頭逆四角錐台形状に形成されると共に上記産卵用水槽も上部に開口部が形成された裁頭逆四角錐台形状に形成され、産卵用水槽の四方側面部は上記飼育用水槽を形成する四方内側面部に当接した状態で収納固定され、産卵用水槽には、略波板状に形成され、谷部には幅方向に沿って親魚は通過できない幅寸法のスリットが形成された底部が設けられていることを特徴とする。
【００１６】
従って、請求項３記載の発明にあっては、産卵用水槽は、飼育用水槽の上部の開口部から飼育用水槽内に挿入され、四方側面部が飼育用水槽の四方側面部に当接することにより飼育用水槽内部に固定配置される。
【００１７】
請求項４記載の発明にあっては、上記産卵用水槽の四方側面部の縦方向及び横方向の外径寸法は飼育用水槽の四方側面部の内径寸法と同一に形成されていると共に、産卵用水槽の深さ寸法は飼育用水槽の深さ寸法よりも小さく形成されており、上記飼育用水槽の前面板部及び背面板部は逆等脚台形に形成されると共に上記産卵用水槽の前面板部及び背面板部は上記前面板部及び背面板部と同一の底角を有する逆等脚台形に形成されていることを特徴とする。
【００１８】
従って、請求項４記載の発明にあっては、産卵用水槽は飼育用水槽内に挿入配置された場合には、産卵用水槽は飼育用水槽の四方側面部に密着して支持されると共に、飼育用水槽の底部との間に空隙を形成した状態で飼育用水槽内に固定される。
【００１９】
請求項５記載の発明にあっては、上記水循環装置は、上記底部を貫通して配置される管部と、上記管部の下端部に設けられ、上記稚魚生育部内に開孔してストレーナを有する吸水口部と、上記管部の上端部に設けられ吸入した水を濾過して産卵用水槽内に還元しうる濾過部が設けられていることを特徴とする。
【００２０】
従って、請求項５記載の発明にあっては、飼育用水槽の下部に形成される稚魚生育部の水が吸入されて濾過され、産卵用水槽内に循環される。
【発明の効果】
【００２１】
請求項１記載の水槽にあっては、観賞魚を飼育しうる飼育用水槽と、上記飼育用水槽内上部に着脱可能に配置され複数の親魚を自由に遊泳可能な状態で収納できる産卵用水槽とを備えており、飼育用水槽内に複数の親魚が自由に遊泳可能なスペースを有する産卵用水槽が配置されるため、繁殖時の親魚の広い遊泳スペースを確保することができる。
その結果、従来の、小さな産卵箱内における親魚の遊泳不可能な状態から派生する親魚のストレスを抑止することができ、親魚の魚体、魚体内卵及び稚魚の健康を優良なものとすることができる。
【００２２】
また、従来、飼育用水槽内に配置される小型の産卵箱を利用する場合には、親魚を飼育用水槽から産卵箱内に移送する必要があり、親魚が産卵期間近であるか否か、の難しい判断を行う必要があったが、本発明にあっては、産卵期に至った親魚は産卵用水槽内に自由に遊泳可能な状態で収納されており、その状態のままで、移送することなく産卵又は稚魚を産むことができるため、従来におけるような、親魚が産卵期間近であるか否か、に関する難しい判断を行う必要がなく、誤った判断が原因で稚魚が親魚や他の魚に捕食されてしまう、という事態を回避できると共に、従来の親魚の移し替え作業による親魚にストレスを与えたり、親魚の魚体に傷を付けてしまう場合がある、という事態を有効に防止することができる。
【００２３】
請求項２記載の発明にあっては、稚魚生育部内の水を吸入して濾過しうる水循環装置を備え、特に飼育用水槽、及び産卵用水槽内の水を濾過して循環させることができるため、常時、産卵用水槽及び飼育用水槽の双方の水を新鮮なものとすることができる。
従って、従来の産卵箱で細幅の通水孔のみが設けられていたことによる、産卵箱と飼育用水槽内部との間における水の循環が不十分であって、親魚や稚魚の食べ残した餌や排泄物が産卵箱の底部に沈滞し、水槽全体の水質悪化を招く、という欠点を有効に克服することができる。
【００２４】
請求項３記載の発明にあっては、上記飼育用水槽は上部に開口部が形成された裁頭逆四角錐台形状に形成されると共に上記産卵用水槽も上部に開口部が形成された裁頭逆四角錐台形状に形成され、産卵用水槽の四方側面部は上記飼育用水槽を形成する四方内側面部に当接した状態で収納固定され、上記底部は略波板状に形成され、谷部には幅方向に沿って親魚は通過できない幅寸法のスリットが形成された底部が設けられており、請求項４記載の発明にあっては、上記産卵用水槽の四方側面部の縦方向及び横方向の外径寸法は飼育用水槽の四方側面部の内径寸法と同一に形成されていると共に、産卵用水槽の深さ寸法は飼育用水槽の深さ寸法よりも小さく形成され、上記飼育用水槽の前面板部及び背面板部は逆等脚台形に形成されると共に上記産卵用水槽の前面板部及び背面板部は上記前面板部及び背面板部と同一の底角を有する逆等脚台形に形成されていることから、産卵用水槽は飼育用水槽内に挿入配置された場合には、産卵用水槽は飼育用水槽の四方側面部に密着すると共に、飼育用水槽の底部との間に空隙を形成した状態で飼育用水槽内に固定されるため、産卵用水槽の下方には飼育用水槽の底部との間に、稚魚生育部となる空隙が形成される。
【００２５】
従って、請求項３及び４記載の発明にあっては、所定の大きさの飼育用水槽用をそのまま使用しつつ、当該飼育用水槽内に装着しうる、飼育用水槽と同一形状、同一の縦方向及び横方法の大きさ寸法、飼育用水槽よりも小さな深さ寸法の産卵用水槽を、飼育用水槽の内部に、飼育用水槽の平面方向の全域に亘って配置固定することにより、大型の産卵用水槽を備え、飼育用水槽と一体化して使用でき、親魚の飼育や稚魚の成育により好適な水槽を提供することができる。
【００２６】
請求項５記載の発明にあっては、常時、飼育用水槽の下部に形成される稚魚生育部の水が吸入されて濾過され、産卵用水槽内に循環されることから、従来とは異なり、水槽全体の水質を良好なものに維持することができる。また、吸水口部にはストレーナが装着されていることから、稚魚の吸い込みを防止することができる。
【図面の簡単な説明】
【００２７】
【図１】本発明に係る水槽の一実施の形態を示す斜視図である。
【図２】本発明に係る水槽の一実施の形態を示し、水槽を構成する飼育用水槽の斜視図である。
【図３】本発明に係る水槽の一実施の形態を示し、水槽を構成する、飼育用水槽内に配置固定される産卵用水槽の斜視図である。
【図４】従来の産卵箱の一実施の形態を示す断面図である。
【図５】従来の水槽及び産卵箱の一実施の形態を示す断面図である。
【発明を実施するための最良の形態】
【００２８】
以下、本発明を実施の形態に基づき、添付図面を参照して詳細に説明する。  
図１及び図３に示すように、本実施の形態に係る水槽１０は、観賞魚を飼育しうる飼育用水槽１１と、上記飼育用水槽１１内上部に着脱可能に配置複固定され、複数の親魚を自由に遊泳可能な状態で収納できると共に上記飼育用水槽１１内に装着された場合には、上記飼育用水槽１１内において下方に稚魚生育部１３を形成しうる産卵用水槽１２とを備えている。
【００２９】
図２に示すように、上記飼育用水槽１１は、例えば、透明な合成樹脂製であって、上部に開口部２２が形成された裁頭逆四角錐台形状に形成され、図３に示すように、上記産卵用水槽１２も、飼育用水槽１１と同様に上部に開口部３１が形成された裁頭逆四角錐台形状に形成されている。飼育用水槽１１は、一般的に市販、使用されている飼育用水槽と略同様の大きさに形成され、一般的な飼育用水槽としても使用することができる。
【００３０】
図２に示すように、上記飼育用水槽１１は、前面板部４３及び背面板部４４、上記前板面部４３及び上記背面板部４４の長さ方向両端部に接合された側面板部４５、４６、並びに、上記前板部４３、上記背板部４４、及び上記側面板部４５、４６の下端部に接合された底面板部４７とにより構成されている。
上記前面板部４３、上記背面板部４４及び上記側面板部４５、４６は上底寸法が下底寸法よりやや大きい逆等脚台形状に形成され、底面板部４７は長方形状に形成されている。
【００３１】
図３に示すように、産卵用水槽１２も上記飼育用水槽１１と同様に、上部に開口部３１を有する裁頭逆四角錐台形状に形成されており、前面板部１７及び背面板部１８、並びに、上記前面板部１７及び上記背面板部１８の端部に接合された側面板部１９、２０により形成されており、上記前面板部１７、上記背面板部１８及び側面板部１９、２０は上底寸法が下底寸法より大きい逆等脚台形状に形成されている。
また、産卵用水槽１２の前面板部１７及び背面板部１８は、上記飼育用水槽１１の側面板部４３及び背面板部４４と同一の底角αを有していると共に、産卵用水槽１２の側面板部１９、２０は、上記飼育用水槽１１の側面板部４５、４６と同一の底角βを有している。
従って、図１に示すように、使用時に産卵用水槽１２を飼育用水槽１１内に、開口部２２を介して挿入した場合には、産卵用水槽１２の前面板部１７、背面板部１８、側面板部１９、２０は、夫々、上記飼育用水槽１１の前面板部４３、背面板部４４、側面板部４５、４６に密着した状態で、産卵用水槽１２は飼育用水槽１１内に固定される。
【００３２】
また、産卵用水槽１２の高さ寸法は、上記飼育用水槽１１の高さ寸法の約３／４程度に形成され、上記側面板部１９、２０の上端内側には、夫々、把手３３が設けられており、産卵用水槽１２の着脱時に使用者が把持できるように構成されている。
【００３３】
その結果、産卵用水槽１２が飼育用水槽１１内に、開口部２２を介して挿入配置された場合には、図１に示すように、産卵用水槽１２は飼育用水槽１１の四方側面部４３、４４，４５，４６に内方から密着すると共に、飼育用水槽１１の底面板部４７との間に空隙を形成した状態で飼育用水槽１１内に固定され、当該空隙が稚魚生育部１３となる。
【００３４】
また、本実施の形態にあっては、産卵用水槽１２の底部３２は、産卵用水槽１２と同様に透明な合成樹脂により、交互に山部と谷部が幅方向に連続する波板状板材として形成され、産卵用水槽１２の下部を被覆している。本実施の形態にあっては、産卵用水槽１２の長さ方向に沿って、３つの山部４９が形成され、両端部には夫々傾斜部５０が形成されている。
【００３５】
また、底部３２においては、上記３つの山部４９の間、及び山部４９と傾斜部５０との間には、夫々、幅方向に沿ってスリット３６が形成されており、本実施の形態にあっては、産卵用水槽１２の長さ方向に沿って４つのスリット３６が設けられている。スリット３６は、親魚１４は通過できないと共に、産卵用水槽１２内の親魚１４が生んだ卵１５又稚魚１６のみが通過して稚魚生育部１３に落下できる幅寸法に形成されている。
【００３６】
また、３つの山部４９及び傾斜部５０の頂部には、夫々、幅方向に沿って、等間隔に、夫々３個の孔部３７が設けられており、上記孔部３７は稚魚１６には通過できない径寸法に形成されている。
なお、底部３２の長さ方向両端部に夫々形成された傾斜部５０には、孔部３７のみが形成され、スリットは形成されていない。これは、一般に、魚類は、壁面沿いに遊泳する習性があることから、スリットを設けた場合には、稚魚１６がスリットを通過して産卵用水槽１２内へ移動する事態を防止するためである。
【００３７】
図１及び図２に示すように、本実施の形態に係る水槽１０にあっては、稚魚生育部１３内の水を吸入して濾過し産卵用水槽内に還元しうる水循環装置２１が設けられている。
水循環装置２１は、上記産卵用水槽１２の底部３２の貫通孔３８を介して挿通された管部２４と、上記管部２４の下端部に形成され、上記稚魚生育部１３内に開孔して、稚魚１６の吸い込みを防止するストレーナ２６を備えた吸水口部２５と、上記管部２４の上端部に設けられ、吸水口部２５により吸入した水を濾過して飼育用水槽１１内に還元しうる濾過部２７を有している。
【００３８】
図１に示すように、水循環装置２１は、飼育用水槽１１に産卵用水槽１２を装着固定した後に、例えば、濾過部２７を飼育用水槽１１及び産卵用水槽１２の背面板部４４、１８の上縁部に適宜手段により固定すると共に、管部２４を産卵用水槽１２内に垂下して底部３２の貫通孔３８内に挿通させ、吸水口部２５を稚魚生育部１３内に配置して使用する。
【００３９】
濾過部２７は、稚魚生育部１３内の水を汲み上げるためのモーター２８ａと、汲み上げられた水を送水する管部２８ｂと、管部２８ｂに接合して設けられ、例えば、中空糸幕等からなるフィルターを備えた濾過部本体（図示せず）と、濾過された水を産卵用水槽１２へ排出する排出口部２８ｃとを備えている。符号２９は、モーター２８ａに電気を供給するための電源ケーブルである。
【００４０】
以下、本実施の形態に係る水槽１０の作用について説明する。
本実施の形態に係る水槽１０にあっては、親魚１４は産卵用水槽１２内で飼育される。この場合、産卵用水槽１２は、飼育用水槽１１と略同じ大きさに形成されており、従来とは異なり、非常に大きな遊泳空間があることから、多数の親魚１４を収納しストレスなく遊泳させて長期間に亘って良好な環境で飼育することができる。従って、親魚１４の遊泳スペースが限定されることから生ずる親魚１４のストレスから派生する魚体の健康への悪影響、魚体内卵及び稚魚の健康への悪影響を払しょくすることができる。
【００４１】
親魚が産卵期に入った場合には、卵１５又は稚魚１６を産み落とす。産み落とされた卵１５及び稚魚１６は産卵用水槽１２の底部３２の山部４９の間に形成されたスリット３６を介して、稚魚生育部１３に落下する。
【００４２】
スリット３６や孔部３７は、親魚１４が通過できないような径寸法に形成されていることから、稚魚生育部１３は産卵用水槽１２の親魚１４からは完全に隔離されるため、卵１５や稚魚１６が親魚１４に捕食される事態は完全に防止することができる。
【００４３】
親魚１４に供与される餌の食べ残し分や親魚の排泄物は上記スリット３６を介して稚魚生育部１３内に落下する。しかしながら、本実施の形態に係る水槽１０にあっては、水循環装置２１が設けられており、水循環装置２１が作動した場合には、モーター２８ａにより吸水口部２５を介して稚魚生育部１３内の水及び、落下した餌、排泄物等は吸引されて管部２４を介して吸い上げられ、濾過部２７において適宜濾過され、清浄な水となって排水口部２８ｃから再度、産卵用水槽１２内に供給される。
【００４４】
その結果、水循環層装置２１により、水槽１０の最下部に設けられた稚魚生育部１３から産卵用水槽１２の上端部へ還流する清浄な水の流れが形成されることから、常に、稚魚生育部１３内は水質の良好な状態が維持されると共に、産卵用水槽１２内へも清浄な水が供給され、水槽１０全体において下部から上部へ至る清浄な水の循環が確保されることから、水槽１０全体の水環境を良好に維持することができる。なお、吸水口部２５にはストレーナ２６が装着されていることから、稚魚１６や卵１５が誤って吸水口部２５から吸引されてしまいことはない。
【００４５】
本実施の形態にかかる水槽１０にあっては、水循環装置２１の作動により、排水口部２８ｃから排出された水が産卵用水槽１２内に落下することから、水槽１０の上部から稚魚生育部１３に掛けて上部から下部へ至る水流が形成される。
【００４６】
この水流は産卵用水槽１２の底部３２のスリット３６を通過することから、スリット３６においては上方から下方への所低圧の水流が形成される。その結果、稚魚生育部１３内の稚魚１６はこの水流に抗してスリット３６を通過して産卵用水槽１２内へ至ることは不可能であり、稚魚１６が親魚１４に捕食されてしまう事態を略完全に防止することができる。
【００４７】
また、水槽１０内における上部から稚魚生育部１３へ至る水流は、スリット３６を通過することにより、水流の圧力が高められることから、所低圧の水流により稚魚生育部１３内の飼育水がより撹拌され、稚魚生育部１３の飼育環境を向上させることが可能となる。
【００４８】
なお、底部３２の下方に生成される稚魚生育部１３に溜まった空気は、孔部３７を介して開口部３１へ抜くことができる。
【００４９】
なお、本発明に係る飼育用水槽及び産卵用水槽の具体的構成、素材、及び水循環装置の具体的構成に関しては、上記実施の形態に限定されない。
【産業上の利用可能性】
【００５０】
本発明は、広く親魚の産卵に適用できる水槽に利用することができ、産業上の利用可能性を有している。
【符号の説明】
【００５１】
１０  水槽
１１  飼育用水槽
１２  産卵用水槽
１３  稚魚生育部
１４  親魚
１５  卵
１６  稚魚
１７  前面板部
１８  背面板部
１９  側面板部
２０  側面板部
２１  水循環装置
２２  開口部
２３  底部
２４  管部
２５  吸水口部
２６  ストレーナ
２７  濾過部
２８ａ  モーター
２８ｂ  管部
２８ｃ  排水口部
２９    電源ケーブル
３１    開口部
３２    底部
３３    把手
３５    平板
３６    スリット
３７    孔部
３８    貫通孔
４１    産卵箱
４２    他の魚
４３    前面板部
４４    背面板部
４５    側面板部
４６    側面板部
４７    底面板部
４９    山部
５０    傾斜部
５１    通水孔
５２    上部の部屋
５３    下部の部屋
５４    水槽
５５    他の魚
５６    底部
α      底角
【要約】 
【課題】 
親魚及び魚体内卵及び稚魚の健康を維持し、親魚の移し替え作業により親魚に傷を付ける事態を防止できると共に、産まれたばかりの卵や稚魚は親魚に捕食されることなく生命を確実に保護でき、繁殖時の親魚の広い遊泳スペースを確保することもできる水槽を提供する。 
【解決手段】 
観賞魚を飼育しうる飼育用水槽と、上記飼育用水槽内上部に着脱可能に配置固定され、
複数の親魚を自由に遊泳可能な状態で収納できると共に上記飼育用水槽内に装着された場合には、上記飼育用水槽内において下方に稚魚生育部を形成しうる産卵用水槽とを備えている。
【選択図】 図１【図１】
0005687382.tif 000002
【図２】
0005687382.tif 000003
【図３】
0005687382.tif 000004
【図４】
0005687382.tif 000005
【図５】
0005687382.tif 000006